(57)【特許請求の範囲】
【請求項１】
信号伝送経路（３０２）の測定セグメント（３０１）で発生される受動的相互変調を測定する方法であって、
（ａ）所定の周波数進行を持つ第１ＨＦ信号（ｕ１（ｔ））および所定の周波数進行を持つ第２ＨＦ信号（ｕ２（ｔ））を生成するステップと、
（ｂ）前記第１ＨＦ信号（ｕ１（ｔ））および前記第２ＨＦ信号（ｕ２（ｔ））を前記信号伝送経路（３０２）に供給するステップであって、前記信号伝送経路の入力セグメント（３００）で生成される第１相互変調信号成分（ｕｒＰＩＭ（ｔ））および前記信号伝送経路の前記測定セグメント（３０１）で生成される第２相互変調信号成分（ｕＰＩＭ（ｔ））を含有する相互変調信号が前記信号伝送経路（３０２）で前記第１ＨＦ信号（ｕ１（ｔ））および前記第２ＨＦ信号（ｕ２（ｔ））から生成されるステップと、
を包含する方法において、
（ｃ）前記入力セグメント（３００）で生成される前記第１相互変調信号成分（ｕｒＰＩＭ（ｔ））に応じて補償信号（ｕｃ（ｔ））を生成するステップと、
（ｄ）前記第１相互変調信号成分（ｕｒＰＩＭ（ｔ））を低減または相殺するために前記補償信号（ｕｃ（ｔ））を前記信号伝送経路（３０２）に導入するステップと、
をさらに包含することを特徴とする方法。
【請求項２】
（ｅ）反射された相互変調信号成分ｕｒｘ１が測定され（２０６）、これから前記信号伝送経路（３０２）の高周波伝送特性について欠陥のある前記信号伝送経路の前記測定セグメント（３０１）の一つ以上の箇所が突き止められる、
ことを特徴とする、請求項１に記載の方法。
【請求項３】
前記第１および／または前記第２ＨＦ信号が増幅されて（２０３）足し合わされて（２０４）から前記信号伝送経路（３０２）に導入されることを特徴とする、請求項１または２に記載の方法。
【請求項４】
前記第１相互変調信号成分（ｕｒＰＩＭ（ｔ））の少なくとも一部分が好ましくは方向性結合器（２１３）および／またはフィルタ（２１５）を使用して前記第２相互変調信号成分（ｕＰＩＭ（ｔ））から分離されることを特徴とする、請求項１から３のいずれかに記載の方法。
【請求項５】
前記分離された部分のパワー、振幅または位相を含む一つ以上の変数が測定され（２１４）、前記補償信号（ｕｃ（ｔ））が前記測定された変数の少なくともいずれかに基づいて生成される（２１１，２１２）ことを特徴とする、請求項４に記載の方法。
【請求項６】
導入時に前記第１相互変調信号成分（ｕｒＰＩＭ（ｔ））の極大補償が達成されるように前記補償信号（ｕｃ（ｔ））が反復法で制御されることを特徴とする、請求項１から５のいずれかに記載の方法。
【請求項７】
前記第１相互変調信号成分（ｕｒＰＩＭ（ｔ））の前記分離された部分のパワーが極小化されるように、前記補償信号（ｕｃ（ｔ））がその振幅ａｒＰＩＭおよび位相φｒＰＩＭの交互調節による制御ループによって生成されることを特徴とする、請求項５および６に記載の方法。
【請求項８】
前記補償信号（ｕｃ（ｔ））が好ましくは方向性結合器（２１３）によって前記入力セグメント（３００）と前記測定セグメント（３０１）との間で前記信号伝送経路（３０２）に導入されることを特徴とする、請求項１から７のいずれかに記載の方法。
【請求項９】
前記第１相互変調信号成分（ｕｒＰＩＭ（ｔ））の振幅、位相および／または時間遅延のような変数が時間窓法によって求められることを特徴とする、請求項１から８のいずれかに記載の方法。
【請求項１０】
前記第１ＨＦ信号（ｕ１（ｔ））および前記第２ＨＦ信号（ｕ２（ｔ））が所定の異なる搬送周波数ｆ１およびｆ２で生成され、好ましくはデジタルの信号が前記搬送周波数の少なくともいずれかに変調されることを特徴とする、請求項１から９のいずれかに記載の方法。
【請求項１１】
二つのＨＦ信号から生成される相互変調信号が中に含有される相互変調信号成分が生成される箇所についての情報を含有するように、第１搬送周波数ｆ１および／または第２搬送周波数ｆ２が変調されることを特徴とする、請求項９および１０に記載の方法。
【請求項１２】
前記第１ＨＦ信号（ｕ１（ｔ））の周波数ｆ１が所定の初期周波数ｆＳＴＡＲＴから所定の終了周波数ｆＥＮＤまで所定の経時変化率ｄｆ／ｄｔで連続的に繰り返し経時変化（掃引）され、および、前記第２ＨＦ信号（ｕ２（ｔ））が好ましくは一定の所定の周波数ｆ２で生成されることを特徴とする、請求項９から１１のいずれかに記載の方法。
【請求項１３】
請求項１から１２のいずれかに記載の方法を実行する測定装置。
【請求項１４】
二つのＨＦ信号を生成する二つの信号源（２０１，２０２）と、
前記二つのＨＦ信号を合成し、それらを入力セグメント（３００）および隣接の測定セグメント（３０１）を備える信号伝送経路（３０２）に導入する合成器（２０４）と、
前記信号伝送経路（３０２）で生成される相互変調信号成分を減結合するフィルタ（２０５）と、
前記信号伝送経路（３０２）の前記入力セグメント（３００）で生成される前記相互変調信号の成分に応じて補償信号（ｕｃ（ｔ））を生成し、および、前記補償信号（ｕｃ（ｔ））を前記信号伝送経路（３０２）に結合する補償ユニット（２１０）と、
を備える、請求項１３に記載の測定装置。
【請求項１５】
前記補償信号（ｕｃ（ｔ））を前記信号伝送経路に結合し、および／または、前記入力セグメント（３００）から入る信号成分ｕｒｘ２を減結合する、好ましくは前記入力セグメント（３００）と前記測定セグメント（３０１）との間で前記信号伝送経路に配置される方向性結合器（２１３）を備えることを特徴とする、請求項１４に記載の測定装置。
【請求項１６】
前記第１相互変調信号成分（ｕｒＰＩＭ（ｔ））の極小化が達成されるように前記補償信号を反復法で生成する第３信号源（２１１）および変調器（２１２）を備えることを特徴とする、請求項１３から１５のいずれかに記載の測定装置。
【発明の詳細な説明】
【技術分野】
【０００１】
本発明は、概括的には高周波通信システム用の測定システムに関し、具体的には受動的相互変調を測定する測定装置に関する。
【０００２】
特に、本発明は、信号伝送経路で生成される相互変調を測定する方法であって、所定の周波数進行を持つ第１ＨＦ信号ｕ１（ｔ）および所定の周波数進行を持つ第２ＨＦ信号ｕ２（ｔ）が生成され、第１ＨＦ信号ｕ１（ｔ）および第２ＨＦ信号ｕ２（ｔ）が信号伝送経路に導入されて、相互変調積を含有する相互変調信号が信号伝送経路で第１ＨＦ信号ｕ１（ｔ）および第２ＨＦ信号ｕ２（ｔ）から発生される方法に関する。そのような相互変調信号は、例えば信号伝送経路における欠陥箇所の突き止めの指標を含有し、そのため不具合を突き止めるのに使用されうる。本発明はさらに、そのような方法を実行する測定装置に関する。
【背景技術】
【０００３】
［受動的相互変調（ＰＩＭ）の説明］
常設の送受信設備（ＢＴＳ、基地局）と端末装置（ＵＥ、ユーザ機器）との間の接続の品質は、最新のモバイルネットワークにおいて主要な役割を果たす。一方のＢＴＳで生成される高パワーと他方のＢＴＳおよびＵＥの受信器の必要な感度とによって、伝送経路における不具合は、受信器の感度、ゆえに接続の品質に大きく影響しうる。
【０００４】
伝送経路で不具合を生じさせる主要な作用の一つは、相互変調である。例えば、相互変調によって、ＢＴＳにおいて高パワーで生成される二つの異なる搬送周波数を持つ二つの伝送信号は、非線形伝送挙動（しばしば単純に「非線形性」と呼ばれる）を持つ箇所で干渉信号を生成し、それらの周波数は伝送信号の周波数の整数倍の和および差である。これらの干渉信号のいくつかは、ＢＴＳの受信帯域に内含され、ゆえに通信の品質に悪影響を及ぼしうる。これらの干渉信号が受動的要素で生成される場合に、これは受動的相互変調（ＰＩＭ）と呼ばれる。
【０００５】
図１は、ＢＴＳからアンテナまでの信号伝送経路を示す概略図である。ＢＴＳ１０は、第１フィルタ１１および第２フィルタ１２を介してアンテナ１３と接続される。ＢＴＳ１０、フィルタ１１，１２およびアンテナ１３は高周波ケーブル１４，１５，１６を介して互いに接続され、高周波ケーブルは高周波コネクタ１７〜２２を介してそれぞれの要素に接続される。ＰＩＭは、伝送経路のすべてのコンポーネント１１〜２２で生じうる。例えば、プラグコネクタの腐食、接点および金属間移行部の酸化被膜、材料の不純物、および、固締が不十分なプラグ接続が、ＰＩＭを引き起こしうる。
【０００６】
伝送装置の品質を保証および点検するために、および／または、そのような不具合を突き止めるために、ＰＩＭの測定が実行される。ＰＩＭは特に高パワーで生じるため、概してこれは高伝送パワー、例えば２＊２０Ｗの使用によって測定される。
【０００７】
［従来のＰＩＭ測定装置の構造］
ＰＩＭの測定には、特別な測定装置が利用可能である。従来のＰＩＭ分析器が図２に例として表されている。それは制御ユニット１５１および信号ユニット１６１で構成される。信号ユニット１６１において、適当な異なる周波数ｆ１およびｆ２を持つ高周波信号が信号源１１３で生成されて二つのパワー増幅器１１４で増幅される。合成器／加算器１１５では、二つの伝送信号が合成されて検査される装置（検査対象装置、ＤＵＴ）１３０に送信される。ＤＵＴ１３０で生じるＰＩＭがフィルタ１１６で選択されて測定受信器１１７で検出および測定される。制御、測定結果の分析および表示が制御ユニット１５１において行われる。
【０００８】
そのような装置は例えば、特許文献１に記載されている。
【先行技術文献】
【特許文献】
【０００９】
【特許文献１】独国特許出願公開第１０２０１００１５１０２号明細書
【発明の概要】
【発明が解決しようとする課題】
【００１０】
しかし、ノイズや他の干渉信号または相互変調信号の不所望の信号成分によって、上述の方法および測定装置では大抵信号伝送経路の十分な品質検査が可能ではないことが分かっている。特に、不具合の突き止めで達成される空間分解能は大抵不適切である。
【課題を解決するための手段】
【００１１】
前述の問題を考慮して、本発明の目的は、検査される信号伝送経路のセグメントの最適な品質検査、ならびに、そこに存在しうる不具合の確実な突き止めが可能であるという点で、不所望の干渉信号を低減させながら信号伝送経路で生成される受動的相互変調を測定する方法を改良することである。
【００１２】
この課題は、請求項１に記載の測定方法によって解決される。有利な任意の方法の特徴は、従属請求項に記載される。この課題はさらに、請求項１３に記載の測定装置によって解決される。
【００１３】
本発明の信号伝送経路は、二つのセグメント、すなわち入力セグメントおよび測定セグメントで構成され、相互変調信号の成分、例えば所与の次数の相互変調積が入力セグメントと隣接の測定セグメントとの両方で生成されうる。入力セグメントは特に、合成器１１５からフィルタ１１６を介してその先まで延在する信号伝送経路の一部分を包含しうるものであり、一方で、測定セグメントは、品質および不具合の可能性について検査される信号伝送経路の隣接部分を形成するものである。
【００１４】
本発明は特に、図１に表される信号伝送経路のすべてのコンポーネントでのように、受動的相互変調が測定装置内でも生じうるという知識に基づいており、それは以下では固有干渉またはｒＰＩＭ（残留ＰＩＭ）と呼ばれる。これは、図２では、特に信号伝送経路の入力セグメントに配置されるフィルタ１１６および／または合成器１１５での場合である。非常に高品質で高価なフィルタの使用は現在、最新技術に相当する。それでもなお、測定装置の測定精度および測定感度は、フィルタ１１５および入力セグメントにおける他のコンポーネントの固有干渉によって大きく影響を及ぼされる。
【００１５】
本発明によれば、入力セグメントで生成される第１相互変調信号成分ｕｒＰＩＭ（ｔ）に依存する補償信号ｕｃ（ｔ）が生成され、第１相互変調信号成分ｕｒＰＩＭ（ｔ）を低減または相殺するために補償信号ｕｃ（ｔ）が信号伝送経路に結合されることで、測定装置自体によってまたは入力セグメントに配置されるコンポーネントによって生成されるこの固有干渉が低減され、ゆえに測定精度が上昇する。
【００１６】
上記のタイプの方法において、本発明によれば、以下のステップの少なくともいくつか、好ましくはすべてが実行されうる。
１）少なくとも二つのＨＦ信号の生成、増幅および足し合わせ。
２）相互変調の周波数の計算。
３）測定装置からの固有干渉（第１相互変調信号成分）の測定信号（第２相互変調信号成分）からの分離。
４）固有干渉の復調、パワー測定および／またはフィルタリング。
５）補償信号の計算および生成。
６）補償信号の信号伝送経路への供給。
【００１７】
補償信号の供給に続いて、測定装置に反射されて戻る相互変調信号はそのとき、測定セグメントで生成される相互変調信号成分を事実上それのみでまたは排他的に包含する。そして、反射された相互変調信号成分ｕｒｘ１が測定され、これから信号伝送経路の高周波伝送特性について欠陥のある信号伝送経路の測定セグメントの一つ以上の箇所が突き止められうる。結果的に、反射された相互変調信号は、測定装置自体によって生成されて測定品質に影響を及ぼしうる干渉相互変調積成分をもうほとんど含有しない。
【００１８】
好ましくは、生成に続いて、第１および／または第２ＨＦ信号が増幅されて足し合わされてから信号伝送経路に導入される。
【００１９】
特に重要なのは、測定装置自体によって生成されて補償される必要がある相互変調積からの測定セグメントで生成される相互変調積の確実な分離であるが、それは、測定装置で生成される相互変調積に基づいて補償信号が生成されるからである。そのため、好ましくは第１相互変調信号成分ｕｒＰＩＭ（ｔ）の少なくとも一部分が好ましくは方向性結合器を使用して第２相互変調信号成分ｕＰＩＭ（ｔ）から分離される。方向性結合器を使用して、入力セグメントからまたは測定装置から出るトータル信号ｕｔｏｔの成分が結合されうるが、それは、この出力成分が第２相互変調信号成分ではなく第１相互変調信号成分のみを含有するからである。それが結合された後、第１相互変調信号成分は、例えばフィルタによって、やはり出力されている第１および第２ＨＦ信号の成分から分離されうる。このために、確実な分離が可能であるように、相互変調信号が二つのＨＦ信号ｕ１，ｕ２とは異なる周波数範囲に所在すると、好都合である。例えば、相互変調信号は、周波数２ｆ１−ｆ２または同等のものを持つ３次相互変調積を包含する。代替的に、相互変調信号は、２次、５次または７次相互変調積を包含する。
【００２０】
分離に続いて、減結合された第１相互変調信号成分のパワー、振幅および／または位相のような一つ以上の変数が測定され、補償信号ｕｃ（ｔ）がこれらの測定された変数の少なくともいずれかに基づいて生成されうる。好ましくは、信号伝送経路における第１相互変調信号成分との重畳がこれを相殺または極小化するように、補償信号が生成される。このために、ｕｃ（ｔ）＝−ｕｒＰＩＭ（ｔ）でありうる。
【００２１】
正弦波の相互変調信号の場合には、ｕｃ（ｔ）は例えば１８０°だけ位相シフトされた第１相互変調信号成分に実質的に対応しうる。変調されたＨＦ信号の場合には、相互変調信号も変調されたものであり、ＨＦ信号から始めてこの予想される変調が求められうる。そして、補償信号は、予想される変調に対応する変調で生成され、生成された補償信号の供給によって第１相互変調信号が極小化されるようにパワーまたは振幅および位相について適応化されうる。
【００２２】
補償信号の特に正確な生成の達成については、ならびに、外的影響または同等のものによって起こりうる信号変化への適応化については、信号伝送経路への導入が第１相互変調信号成分ｕｒＰＩＭ（ｔ）の極小化をもたらすように、補償信号ｕｃ（ｔ）が反復法で制御されまたは繰り返し適応化されると好都合であることが実証されている。
【００２３】
測定装置の固有干渉の確実な排除の達成については、分離された信号成分のパワーが特に簡単にかつ確実に測定されうるため、方向性結合器によって減結合される第１相互変調信号の部分のパワーが極小化されるように、補償信号が生成されて信号伝送経路に導入されると有利であることが実証されている。測定されたパワーに応じて、生成される補償信号の適応化が行われ、特に生成される補償信号の振幅および／または位相が適応化されうる。本発明による特に好適な方法によれば、生成される補償信号の位相および振幅は、制御パラメータとして交互に使用され、減結合された第１相互変調信号成分のパワーが極小化されるまでそれぞれ変化される。こうして、固有干渉の排除が特に迅速にわずかな反復ステップで達成される。
【００２４】
しかし代替的に、一つのみのまたは二つより多くの制御パラメータが使用されうる。これらの場合には、反復法は必ずしも不可欠ではない。
【００２５】
特に、補償信号ｕｃ（ｔ）が方向性結合器によって入力セグメントと測定セグメントとの間で信号伝送経路に導入されると、有利である。代替的に、他の箇所での導入が例えば第１および／または第２ＨＦ信号の生成中または生成後直ぐにすでに可能である。
【００２６】
方向性結合器の使用は、分離および測定される相互変調信号の成分の減結合と補償信号の結合との両方にそれが使用されうるという利点を有する。
【００２７】
代替的にまたは付加的に、第１相互変調信号成分ｕｒＰＩＭ（ｔ）が時間窓法によって第２相互変調信号成分ｕＰＩＭ（ｔ）から分離されうる。「時間窓法」では、入力セグメントに対応しうる特定の時間窓内に所在するＰＩＭ成分が求められる。
【００２８】
時間窓法が使用される際には、方向性結合器または同等のものによって固有干渉（または第１相互変調信号）の少なくとも一部分を減結合することは、必要ではなく、または、必要とは限らない。代わりに、二つのＨＦ信号ｕ１およびｕ２から生成される相互変調信号が中に含有される相互変調信号成分がどこで生成されるのかについての情報を含有するように、二つのＨＦ信号がすでに生成されている。これは、第１および／または第２ＨＦ信号の所定の信号進行または所定の変調によって可能となり、合成信号ｕ１＋ｕ２から生成される相互変調積の生成箇所に応じて、相互変調信号の所定の規定された経時進行（または所定の変調進行）が得られ、それは、分析に続いて、または、第１および／または第２ＨＦ信号またはそれらから生成される比較信号との比較に続いて、相互変調積の生成箇所に関する結論の導出を可能にする。
【００２９】
例えば、第１ＨＦ信号ｕ１（ｔ）の周波数ｆ１は、所定の初期周波数ｆＳＴＡＲＴから所定の終了周波数ｆＥＮＤまで所定の経時変化率ｄｆ／ｄｔで連続的に繰り返し経時変化（掃引）され、第２ＨＦ信号は、一定の所定の周波数ｆ２で生成される。この場合、信号経路から反射される相互変調積の生成箇所は、反射された相互変調積の周波数と既知の位置で生成される相互変調積の周波数との間の周波数差から求められうる。詳細は、すでに引用した独国特許出願公開第１０２０１００１５１０２号明細書に記載されており、参照によって本開示に含まれる。そして、補償信号は、測定セグメントの始点より前の信号伝送経路で生成される第１相互変調信号成分に基づいて生成され、所定の供給箇所で信号伝送経路に供給されうる。
【００３０】
時間窓法を可能にするＨＦ信号の他の時間進行および／または変調が可能である。時間窓法の特に有利な態様によれば、ＨＦ信号の少なくともいずれかが搬送周波数で生成され、デジタル信号ｕＣＯＤＥがそれに変調される。そのような時間窓法の詳細は、今のところは未公開の独国特許出願第１０２０１４００７１５１．０号明細書に開示されており、参照によって本開示に含まれる。デジタル信号ｕＣＯＤＥを生成するために、好ましくは周期的なフレームクロック信号が拡散コードで乗じられると、好都合であり、当該拡散コードは好ましくはチップのシーケンスを包含する。
【００３１】
上述の態様のすべてにおいて、第１ＨＦ信号ｕ１（ｔ）および第２ＨＦ信号ｕ２（ｔ）は好ましくは所定の異なる搬送周波数ｆ１およびｆ２で生成され、その結果相互変調信号の周波数は搬送周波数と異なる。少なくともいずれかの搬送周波数は、所定の変調タイプで搬送周波数に変調される好ましくはデジタルの信号を含みうる。
【００３２】
さらなる側面によれば、本発明は、本発明による方法を実行する測定装置を包含する。
【００３３】
この測定装置は好ましくは、二つのＨＦ信号ｕ１（ｔ），ｕ２（ｔ）を生成する二つの信号源と、二つのＨＦ信号を合成し、それらを入力セグメントおよび隣接の測定セグメントを備える信号伝送経路に導入する合成器と、信号伝送経路で生成される相互変調信号成分を減結合する装置と、信号伝送経路の入力セグメントで生成される相互変調信号の成分に応じて補償信号ｕｃ（ｔ）を生成し、任意に補償信号ｕｃ（ｔ）を信号伝送経路に結合する補償ユニットとを包含する。
【００３４】
合成器と、減結合に使用される装置、特にフィルタとは、フィルタ合成器のような単一のコンポーネントの形態で設けられうる。
【００３５】
本発明による方法に関連して記載される特徴はまた、必要な変更を加えて、本発明による測定装置で個別にまたは何らかの組み合わせで提供されうるものであり、それにより、上記の見解が参照される。
【００３６】
特に、測定装置は、好ましくは入力セグメントと測定セグメントとの間で信号伝送経路に配置される方向性結合器を含みうるものであり、方向性結合器は、補償信号ｕｃ（ｔ）を信号伝送経路に結合し、および／または、入力セグメントから発生して方向性結合器に入る信号成分ｕｒｘ２を減結合する。
【００３７】
補償信号は、第１相互変調信号成分ｕｒＰＩＭ（ｔ）の極小化がもたらされるように反復法で第３信号源および／または変調器によって生成されうる。
【００３８】
好適な態様では、固有干渉の補償によって好ましくは受動的な相互変調を測定する本発明による測定装置は、測定システム、制御ユニットおよび補償ユニット（プリディストーションユニット）を包含する。固有干渉（または第１相互変調信号成分）が補償ユニットによって測定される第２相互変調信号成分から分離される。受信器では、固有干渉が、復調され、検出され、および／または、そのパワーを求められうる。補正信号のパラメータが制御ユニットで計算され、その後補償信号（補正信号）が信号源および変調器で生成されて信号伝送経路に結合されうる。代替的にまたは付加的に、固有干渉が極小化されるまで制御ループが補償信号のパラメータを反復的に変化させる。
【００３９】
本発明のさらに有利な特徴が添付の図面を参照して以下の記載で説明され、記載部分では詳しく説明されない本発明にとって重要な詳細に関して図面が明示的に参照される。
【図面の簡単な説明】
【００４０】
【図１】ＢＴＳからアンテナまでの伝送経路を示す概略図である。
【図２】従来のＰＩＭ検査装置の構成を例示するブロック図である。
【図３】本発明による方法を実行するように設計される本発明の第１実施形態による測定装置を示す概略図である。
【図４】３次相互変調信号の生成後の信号伝送経路における信号の概略図である。
【図５】第１相互変調信号成分ｕｒＰＩＭ、補償信号ｕｃＰＩＭおよび第２相互変調信号成分ｕＰＩＭの例図である。
【図６】方向性結合器の概略図である。
【図７】制御パラメータの振幅および位相を使用して補償信号を生成および最適化する反復法の概略図である。
【図８】本発明による方法を実行するように設計される本発明の第２実施形態による測定装置を示す概略図である。
【図９】距離測定によるＤＵＴにおける固有干渉と相互変調との分離を示す図である。
【発明を実施するための形態】
【００４１】
図３は、プリディストーションによるＰＩＭの測定のための本発明による方法を実行する本発明による測定装置の第１実施形態の概略図である。この実施形態は、測定ユニット２００、プリディストーションユニット２１０、制御ユニット２２０および検査対象装置（ＤＵＴ）２２５で構成される。
【００４２】
測定ユニット：測定ユニット２００は、少なくとも二つの信号源２０１，２０２、少なくとも二つの増幅器２０３、合成器２０４、フィルタ２０５および受信器２０６で構成される。
【００４３】
信号源：二つの信号源２０１および２０２は、制御ユニット２２０と接続される。それらは、実施形態に応じて正弦波のものまたは変調されたものでありうる信号ｕ１（ｔ）およびｕ２（ｔ）を生成する。好ましくは、二つの信号は、異なる搬送周波数ｆ１およびｆ２を有する。
【００４４】
増幅器：二つの信号源は、二つの増幅器２０３と接続される。
【００４５】
合成器：合成器２０４は、一方で二つの増幅器２０３と接続され、他方でフィルタ２０５のＴＸ経路と接続される。
【００４６】
フィルタ：フィルタ２０５は、一方で、合成器２０４と接続されるとともに受信器２０６と接続される。他方で、フィルタ２０５は、（方向性）結合器２１３と接続される。
【００４７】
受信器：受信器２０６は、一方でフィルタ２０５と接続され、他方で制御ユニット２２０と接続される。
【００４８】
プリディストーションユニット：プリディストーションユニット２１０は、信号源２１１、変調器２１２、結合器２１３、受信器２１４およびフィルタ２１５を包含する。
【００４９】
信号源：プリディストーションユニットは、一方で制御ユニット２２０と接続され、他方で変調器２１２と接続され、補償信号の少なくとも一つの搬送周波数（例えば２ｆ１−ｆ２）を生成する信号源２１１を含む。
【００５０】
変調器：変調器２１２は、信号源２１１、制御ユニット２２０および結合器２１３と接続され、補償信号を生成するために信号源２１１によって生成される信号を変調する働きをする。
【００５１】
第２受信器：第２受信器２１４は、結合器２１３および制御ユニット２２０と接続される。この受信器２１４は、極小化される固有信号の減結合された成分（または第１相互変調信号成分）を受信して場合により測定する働きをする。
【００５２】
結合器：結合器２１３は、測定ユニット２００をＤＵＴ２２５ならびに第２受信器２１４および変調器２１２と接続する。
【００５３】
以下において、相互変調中に生じる信号の呼称が規定される。
【００５４】
図４は、二つの信号およびＰＩＭの生成を例として示している。二つの信号ｕ１およびｕ２は、搬送周波数ｆ１およびｆ２を有する。それにより、ｏ次の相互変調積ｕＰＩＭ，ｏが次に従って非線形性で発生される。
【数１】
0006467037.tif 000002
【００５５】
二つの信号ｕ１およびｕ２ならびに相互変調積（図示の例では、周波数２ｆ１−ｆ２および２ｆ２−ｆ１を持つ３次のものｕＰＩＭ，３）が図４に表されている。図１による設備の場合、ｕ１およびｕ２は、図４にてＴＸと記される伝送帯域内に所在する。伝送設備の機能は、図４に例示されるようにｕＰＩＭ，３が図４にてＲＸと記される受信帯域に内含される場合に特に干渉を受ける。変数ｍ，ｎ，ｏは、整数である。
【００５６】
測定ユニット２００は、ＤＵＴにおける受動的相互変調を測定するのに使用される。このために、先ず二つの信号ｕ１およびｕ２が二つの信号生成器２０１および２０２で生成される。これらの信号は、振幅変調および位相変調されたものでありうる。前述の実施形態では、次のように、ｕ１は位相変調されたものであり、ｕ２は正弦波のものである。
【数２】
0006467037.tif 000003
【００５７】
合成器２０４では、ｕ１およびｕ２が足し合わされてｕｔｘが発生される。フィルタの出力での信号ｕｔｏｔは、（以下で説明される固有干渉および補正信号を考慮しなければ）次で構成される。
【数３】
0006467037.tif 000004
【００５８】
フィルタ２０５では、ＴＸ帯域とＲＸ帯域とが分離され、その結果受信器２０６の入力に信号ｕＰＩＭ，ｏが存在する。周波数ｆＰＩＭの計算に続いて、信号ｕＰＩＭ，ｏが受信され、信号のパワーが測定されてデジタル化される。ＢＵＳを介して、パワーが制御ユニット２２０に伝送され、そこでパワーが表示される。信号振幅は、回線品質の測定基準として使用されうる。信号は、不具合を突き止めるのにも使用されうる。これに関連して、独国特許出願公開第１０２０１００１５１０２号明細書および独国特許出願公開第１０２０１２０２３４４８号明細書を参照し、その内容は、信号伝送経路における欠陥箇所の突き止めに関する限り、参照によって本開示に全体が取り入れられる。
【００５９】
以下において、本発明による方法を特徴づける方法のステップがより詳しく説明される。
【００６０】
以下では残留受動的相互変調（ｒＰＩＭ）と呼ばれる固有干渉（または第１相互変調信号成分）は、ＰＩＭの場合と同じ仕組みによって非線形性で、特に合成器２０４、フィルタ２０５および／または信号伝送経路の移行部で生成される。固有干渉は、その生成において同じ仕組みを経るが、伝送経路に沿った異なる箇所で生成され、異なる振幅を有するため、ｏ次のｒＰＩＭは、次のように表されうるものであり、
【数４】
0006467037.tif 000005
ここでａｒＰＩＭは振幅を表す。位相シフトはφｒＰＩＭで示される。ｕｒｘの測定結果のディストーションが図５ａに表されている。信号ｕＰＩＭおよびｕｒＰＩＭの二つのポインタは、足し合わせると信号ｕｒｘになる。パワー測定のディストーションは、ｕｒｘおよびｕＰＩＭのポインタ長の差からもたらされる。
【００６１】
プリディストーションの作用：本発明による方法の基本的な考えは、固有干渉を補償し、結果的に測定の精度を向上させることを伴う。このために、次のように信号ｕｒＰＩＭ，ｏを相殺する補償信号ｕｃ（ｕｃＰＩＭとも呼ばれる）が生成される。
【数５】
0006467037.tif 000006
【００６２】
図５ｂは、信号ｕＰＩＭ，ｕｒＰＩＭおよびｕｃをポインタ図で示している。
【００６３】
補償信号ｕｃは、変調器２１２で生成される。信号ｕＰＩＭ（ｔ）は、次の時間進行を有する。
【数６】
0006467037.tif 000007
【００６４】
このために、係数ｍおよびｎが制御ユニットで計算される。信号ｕ３（ｔ）は、次のように式（１）および（８）から求められる。
【数７】
0006467037.tif 000008
【００６５】
周波数ｆｐｉｍおよび信号形式のパラメータがＢＵＳを介して信号生成器に伝送され、そこで信号ｕ３（ｔ）が生成される。
【００６６】
このために、信号生成器２１２の信号ｕ３が変調器で乗じられ、その結果次の形態で信号が発生される。
【数８】
0006467037.tif 000009
【００６７】
補正信号ｕｃの計算について極めて重要なのは、信号ｕＰＩＭおよびｕｒＰＩＭの分離である。第１実施形態では、方向性結合器の使用によってこれが達成される。振幅ａｒＰＩＭおよび位相φｒＰＩＭを計算できるようにするために、結合器２１３で信号ｕｒｘ２が信号ｕｔｏｔから減結合される。結合器２１３の機能が図６に例示されている。それにより、伝送信号ｕｔｏｔが入力に供給される。信号ｕｒｘ２が減結合されて結合減衰量ｋで減衰される。準最適な方向性ｒの結果として、ＤＵＴからのｕＰＩＭによる信号の一部分も信号ｕｒｘ２に結合され、その結果信号ｕｒｘ２は次から導き出される。
【数９】
0006467037.tif 000010
【００６８】
信号ｕｒｘ２は受信器２１４によって受信され、パワーＰｒＰＩＭが測定される。受信器２１４の測定帯域幅は、受信器２０６の測定帯域幅と異なりうる。測定されたパワーは、ＢＵＳを介して制御ユニットに送られる。
【００６９】
ｕ３（ｔ）の信号形態は、周波数および信号形式について既知であり、測定手順の前に一度計算され、ＢＵＳを介して信号生成器に設定される。干渉ｒＰＩＭは、環境の影響、例えば温度に依存しうるため、測定装置の動作の過程で後に調節される必要がある。パラメータａｒＰＩＭおよびφｒＰＩＭが調整に使用される。このために、次の式が解かれる。
【数１０】
0006467037.tif 000011
二つのパラメータの調節には一つの測定値ＰｒＰＩＭのみが利用可能であるため、これは反復法に続いて行われる。そのような反復法が図７に例として表されている。反復プロセスは値のペア０：ａ０，φ０で始まる。ＰＩＭの測定された振幅は例えばａ０の推定値として使用されうるものであり、例としてφ０にはφ０＝０°が使用される。結果１：ａ１，φ１を持つ第１反復ステップについては、ＰｒＰＩＭの測定されたパワーが極小となるまでφが一定のａで変化される。図示の例では、それによりＰｒＰＩＭ１が達成される。第２反復ステップでは、再び極小値ＰｒＰＩＭ２に達するまで振幅が一定のφで変化され、ここでＰｒＰＩＭ２＜ＰｒＰＩＭ１である。この方法は、測定されたパワーＰｒＰＩＭの改善がもたらされなくなる、すなわちＰｒＰＩＭ，ｎ＋１≒ＰｒＰＩＭ，ｎとなるまで繰り返される。
【００７０】
［代替的実施形態］
代替的実施形態では、受信された信号ｕｒｘの減結合ならびにｒＰＩＭおよびＰＩＭ干渉の分離の異なる方法が使用される。
【００７１】
受動的相互変調を測定する測定装置において、不具合から測定装置までの距離を測定する方法を可能にする方法が使用される。そのような測定を可能にする方法は、独国特許出願公開第１０２０１２０２３４４８号明細書に記載されている。
【００７２】
従って、独国特許出願公開第１０２０１２０２３４４８号明細書に記載の方法による信号形態がもたらされるように、信号ｕ１が周波数変調される。従って、周波数ｆ１が開始周波数ｆ１ｓｔａｒｔから終了周波数ｆ１ｓｔｏｐまで連続的に繰り返し経時変化（掃引）され、その結果次のようになる。
【数１１】
0006467037.tif 000012
【００７３】
独国特許出願公開第１０２０１２０２３４４８号明細書の開示によれば、差周波数ｆｄが受信器で生成され、それによって不具合までの距離ｌが次に従って計算されうる。
【数１２】
0006467037.tif 000013
【００７４】
図９は、測定装置およびＤＵＴの空間的配置と差周波数ｆｄとの間の関係を例示している。図９ａは、長さｌＤＵＴを持つケーブルによってＤＵＴと接続される測定装置を例示している。図９ｂには、測定信号ｕｍｅｓｓの対応の周波数が表されている。（１４）によれば、ＤＵＴにおける相互変調は、周波数ｆｄＤＵＴを持つ測定信号を生成する。
【００７５】
第２実施形態では、測定信号がフィルタリングされ、ｆｄｍｉｎより低い周波数を持つ電圧のみがｒＰＩＭのパワーを求めるのに使用される。こうして、ＰＩＭとｒＰＩＭとの分離が達成される。ｆｄＤＵＴより高い周波数を持つ信号のみがＰＩＭの測定に使用されるため、次のように規定されるｌｍｉｎの分解能リミットが達成される。
【数１３】
0006467037.tif 000014
【００７６】
すると、補償信号は、ｒＰＩＭについて求められるパワーに基づいて生成され、信号伝送経路に導入されうる。
【図１】
0006467037.tif 000015
【図２】
0006467037.tif 000016
【図３】
0006467037.tif 000017
【図４】
0006467037.tif 000018
【図５】
0006467037.tif 000019
【図６】
0006467037.tif 000020
【図７】
0006467037.tif 000021
【図８】
0006467037.tif 000022
【図９】
0006467037.tif 000023